(57)【要約】【課題】記録用紙全面への記録を容易に実現する。【解決手段】紙押さえは、導入部、紙押さえ部、送出部よりなり、これら各部は上流側から下流側に順次配列されている。導入部は、記録用紙が容易に紙押さえの下に進入する舌片状である。紙押さえ部は、幅方向内側寄りに長方形の開口が形成された長方形板状である。送出部は、紙押さえ部の幅方向外側寄りの部分から下流側に突出する長方形板状に形成され、紙押さえ部の全幅を延長した長方形から、切欠を切り取った形状である。切り欠きは、上流方向に投影したときに、紙押さえ部における開口の内側にかかる幅を有する。紙押さえ部において開口のような開放部を形成し、送出部において、紙押さえ部で開放されなかった幅方向内側の部分を、切欠の開放部によって開放することによって、紙押さえの位置においても、記録用紙にインクを吐出することが可能になる。すなわち紙押さえ部の開放部において記録用紙にインクを吐出し、このときインクが吐出されなかった部分については、記録用紙が送出部に到達したときにインクを吐出する。【選択図】　　　　図３
2004074610.tif 000002
【特許請求の範囲】
【請求項１】
記録用紙搬送方向に対して交差する方向に移動可能であり、かつ前記記録用紙に対してインクを吐出し得る記録ヘッドと、
前記記録用紙搬送方向に対して交差する方向について、前記記録用紙の少なくとも１端部に配置され、前記記録用紙の浮きを防止する紙押さえ手段と、
を備えたインクジェット記録装置であって、
前記紙押さえ手段には、前記記録用紙を押さえ得る紙押さえ部が設けられ、前記紙押さえ部には、前記記録ヘッドから吐出されたインクを通過させる第１の開放部が形成されたインクジェット記録装置。
【請求項２】
前記紙押さえ手段は、
前記紙押さえ部に設けられ、前記記録ヘッドがインクを吐出する範囲で、前記インクの通過を遮る部分と、
前記第１の開放部よりも、前記記録用紙搬送方向下流に設けられ、前記インクの通過を遮る部分に対応した形状の第２の開放部と、
を備え、
前記記録ヘッドは、前記インクの通過を遮る部分で記録しなかった画像を、第２の開放部で記録することを特徴とする請求項１記載のインクジェット記録装置。
【請求項３】
前記記録用紙の下面を支持するプラテンリブがさらに設けられ、
前記記録ヘッドは前記記録用紙搬送方向に延びるノズルを備え、
前記プラテンリブには、前記ノズルの範囲の一部に、前記記録用紙に接触しないように切欠が形成されている、
ことを特徴とする請求項１または２記載のインクジェット記録装置。
【請求項４】
前記プラテンリブ周囲には前記インクを吸収するインク吸収体がさらに設けられたことを特徴とする請求項３記載のインクジェット記録装置。
【請求項５】
前記記録用紙の、記録用紙搬送方向後端を検出して、前記記録用紙を位置決めする後端検出手段をさらに備え、
前記記録用紙の後端が前記第１の開放部内にあるときに、前記記録ヘッドがインクを吐出する範囲内で、前記第１の開放部を通過するインクによって画像を記録し、前記第１の開放部以外の部分では画像を記録せず、前記後端が前記切欠の位置にあるときに、前記第１の開放部以外の部分に画像を記録することを特徴とする、請求項４記載のインクジェット記録装置。
【発明の詳細な説明】
【０００１】
【発明の属する技術分野】
本発明は、記録用紙上にインクを吐出し、記録を行うインクジェット記録装置に関する。
【０００２】
【従来の技術】
インクジェット記録装置の記録用紙は、反り等によって平坦さを失うことがある。特にインク水分を吸湿した場合、通常の記録用紙には反りが生じる。そして、記録用紙が平坦でないと記録ヘッドに記録用紙が接触する等の問題を生じる。
【０００３】
そこでインクジェット記録装置には、記録用紙の浮きを防止する紙押さえが設けられる。
【０００４】
【発明が解決しようとする課題】
従来のインクジェット記録装置は、紙押さえの位置では、記録用紙への記録が困難であり、余白なく記録用紙全面に記録を行うことが出来なかった。一方、記録用紙全面への記録を実現するため、紙押さえを設けないインクジェット記録装置も提供されているが、記録用紙の反りの問題は解決できず、吸湿しても反りのほとんど生じない記録用紙を選択して使用する必要があった。この場合、ユーザにとって記録用紙の選択が煩雑であり、また誤った記録用紙を選択する可能性もあった。
【０００５】
本発明はこのような従来の問題点を解消すべく創案されたもので、記録用紙全面への記録を容易に実現することを目的とする。
【０００６】
【課題を解決するための手段】
本発明は、記録用紙搬送方向に対して交差する方向に移動可能であり、かつ前記記録用紙に対してインクを吐出し得る記録ヘッドと、前記記録用紙搬送方向に対して交差する方向について、前記記録用紙の少なくとも１端部に配置され、前記記録用紙の浮きを防止する紙押さえ手段とを備えたインクジェット記録装置であって、前記紙押さえ手段には、前記記録用紙を押さえ得る紙押さえ部が設けられ、前記紙押さえ部には、前記記録ヘッドから吐出されたインクを通過させる第１の開放部が形成される。これによって、記録用紙全面への記録を容易に実現し得る。
【０００７】
本発明に係るインクジェット記録装置において、前記紙押さえ手段は、前記紙押さえ部に設けられ、前記記録ヘッドがインクを吐出する範囲で、前記インクの通過を遮る部分と、前記第１の開放部よりも、前記記録用紙搬送方向下流に設けられ、前記インクの通過を遮る部分に対応した形状の第２の開放部とを備え、前記記録ヘッドは、前記インクの通過を遮る部分で記録しなかった画像を、第２の開放部で記録する。これによって、記録用紙全面への記録を容易に実現し得る。
【０００８】
本発明に係るインクジェット記録装置において、前記記録用紙の下面を支持するプラテンリブがさらに設けられ、前記記録ヘッドは前記記録用紙搬送方向に延びるノズルを備え、
前記プラテンリブには、前記ノズルの範囲の一部に、前記記録用紙に接触しないように切欠が形成される。これによって記録用紙先端、後端での画像記録に際してプラテンリブにインクが付着することはがない。
【０００９】
本発明に係るインクジェット記録装置において、前記プラテンリブ周囲には前記インクを吸収するインク吸収体をさらに設けることにより、はみ出したインクを受容し得る。
【００１０】
本発明に係るインクジェット記録装置は、前記記録用紙の、記録用紙搬送方向後端を検出して、前記記録用紙を位置決めする後端検出手段をさらに備え、前記記録用紙の後端が前記第１の開放部内にあるときに、前記記録ヘッドがインクを吐出する範囲内で、前記第１の開放部を通過するインクによって画像を記録し、前記第１の開放部以外の部分では画像を記録せず、前記後端が前記切欠の位置にあるときに、前記第１の開放部以外の部分に画像を記録する。これによって、後端での画像記録に際してプラテンリブにインクが付着することはがない。
【００１１】
【発明の実施の形態】
［第１の実施形態］
次に本発明に係るインクジェット記録装置の第１の実施形態を図面に基づいて説明する。
【００１２】
図１は、本発明に係るインクジェット記録装置の第１の実施形態を示すの全体斜視図、図２は、従来例のインクジェット記録装置の全体斜視図、図３は、図１の紙押さえの周辺部を示す拡大斜視図、図４は、図１の紙押さえの周辺部を示す拡大平面図である。
【００１３】
図１において、インクジェット記録装置は、インクを吐出する記録ヘッド２を有し、記録ヘッド２にはインクタンク３、４が搭載されている。記録ヘッド２はキャリア１に装着され、キャリア１はキャリアモータ（不図示）によりキャリアベルト６を介してキャリアシャフト７に沿って往復駆動される。記録ヘッド２のノズル２０（図４）は記録用紙５に対向する位置（記録部という。）に配設されている。
【００１４】
記録用紙５は、給紙トレイ８に積載された給紙機構（不図示）によって１枚ずつ分離されて記録部に給紙され、搬送ローラ１０とピンチローラ１１によって挟持されつつＬＦモータ（不図示）によって矢印９の方向に搬送される。記録用紙５は、記録ヘッド２のノズルから吐出されるインクによって画像が形成されたのち、排出ローラ１２によって排出される。
【００１５】
インクジェット記録装置には回復ユニット１３が設けられ、回復ユニット１３は記録ヘッド２からのインク吸引、ノズル面のインク拭き取りを実行して、記録ヘッド２をリフレッシュする。
【００１６】
さらにインクジェット記録装置における、記録ヘッド２が往復動する位置の両端部には、紙押さえ１５（右端部の紙押さえ１５のみ示す。）が設けられている。紙押さえ１５の詳細については後述するが、図２に示すように、従来の紙押さえ１４は、記録用紙の反りによる浮きを押さえるために、略長方形の薄い金属板等で構成されていた。記録用紙５は、紙押さえ１４の下に位置する部分にはインクを吐出することができない。
【００１７】
紙押さえ１５は、導入部１５ａ、紙押さえ部１５ｂ、送出部１５ｃを、略長方形の薄い金属板等で一体形成してなり、導入部１５ａ、紙押さえ部１５ｂ、送出部１５ｃは上流側から下流側に順次配列されている。導入部１５ａは、記録用紙５が容易に紙押さえ１５の下に進入するように、上流端に、上方に曲がる折曲片１５ｄを有する舌片状である。紙押さえ部１５ｂは、幅方向内側寄りに長方形の開口１５ｅが形成された長方形板状である。開口１５ｅの下流端には、上方に曲がる折曲片１５ｆが上流に向かって突設され、記録用紙５が容易に送出部１５ｃの下に進入するようになっている。
【００１８】
導入部１５ａは、紙押さえ部１５ｂの幅方向内側寄りの位置から上流方向に突出し、記録用紙５の端から充分内側に入った位置で記録用紙５案内し得る。
【００１９】
送出部１５ｃは、紙押さえ部１５ｂの幅方向外側寄りの部分から下流側に突出する長方形板状に形成され、紙押さえ部１５ｂの全幅を延長した長方形から、切欠１９を切り取った形状である。切欠１９は、上流方向に投影したときに、紙押さえ部１５ｂにおける開口１５ｅの内側にかかる幅を有する。
【００２０】
送出部１５ｃの下流端には下流方向に突出するガイド片１５ｇが設けられ、記録用紙５の後端をできるだけ長期間支持して、安定に送出するようになっている。
【００２１】
紙押さえ部１５ｂにおいて開口１５ｅのような開放部を形成し、送出部１５ｃにおいて、紙押さえ部１５ｂで開放されなかった幅方向内側の部分を、切欠１９の開放部によって開放することによって、紙押さえ１５の位置においても、記録用紙５にインクを吐出することが可能になる。すなわち紙押さえ部１５ｂの開放部１５ｅにおいて記録用紙５にインクを吐出し、このときインクが吐出されなかった部分、すなわちインク吐出範囲を紙押さえ部１５ｂが遮っている部分については、記録用紙５が送出部１５ｃに到達したときにインクを吐出する。
【００２２】
紙押さえ１５が設けられた位置では、記録用紙５は略全幅に渡って、下面を複数のプラテンリブ１６によって支持、案内されている。プラテンリブ１６の周囲にはインク吸収体１７が一段低い高さで配されており、記録用紙５の先端に対するインク吐出時に、はみ出たインクを吸収する。吸収体１７は、開口１５ｅの下方の位置にも配置され、開口１５ｅ等の開放部に対するインク吐出時に、記録用紙５からはみ出たインクを受容する。
【００２３】
図１においては記録用紙５の幅方向両側に紙押さえ１５を設けたが、記録用紙５の幅方向片側に設けてもよく、いずれも記録用紙５の反りに依る浮き防止に有効である。
【００２４】
図４において、紙押さえ１５の右側には、記録ヘッド２のノズル位置を透視図で示し、
紙押さえ１５やプラテンリブ１６に対してノズル２０のＹ方向（記録用紙５送り方向）の位置を対応させている。ノズル２０はシアン（Ｃ）・マゼンダ（Ｍ）・イエロー（Ｙ）・ブラック（Ｂ）の４色が並んでいる例を示していて、記録ヘッドの走査方向をＸ方向とする。実際にはノズル部には細かい穴が縦に並んで構成されているが、ここでは図の簡単のため直線で表現している。開口１５ｅは、Ｙ方向について、ノズル２０の上流端よりの上流側から始まり、インクの吐出開始時から、開口１５ｅを通して、インクを記録用紙５に吐出し得る。
【００２５】
なお、図４ではインクを４色吐出し得る４列ノズルを示しているが、より少数のノズル、あるいはより多数のノズルを使用するインクジェット記録装置に本発明を適用し得ることはいうまでもない。
【００２６】
［第１の実施形態の記録動作］
次に第１の実施形態の記録動作を説明する。
【００２７】
図５Ａは、第１の実施形態の記録動作を説明するために、図１の紙押さえの周辺部を示す拡大平面図、図５Ｂは、図５Ａに続く記録動作を説明するために、図１の紙押さえの周辺部を示す拡大平面図、図５Ｃは、図５Ｂに続く記録動作を説明するために、図１の紙押さえの周辺部を示す拡大平面図、図６は、図１の記録ヘッドのノズルとプラテンリブを示す透視図、図７Ａは、図５Ｂに続く記録動作を説明するために、図１の紙押さえの周辺部を示す拡大平面図、図７Ｂは、図７Ａに続く記録動作を説明するために、図１の紙押さえの周辺部を示す拡大平面図、図７Ｃは、図７Ｂに続く記録動作を説明するために、図１の紙押さえの周辺部を示す拡大平面図、図８Ａは、図７Ａの記録動作時における、記録ヘッドのノズルとプラテンリブを示す透視図、図８Ｂは、図７Ｂの記録動作時における、記録ヘッドのノズルとプラテンリブを示す透視図、図８Ｃは、図７Ｃの記録動作時における、記録ヘッドのノズルとプラテンリブを示す透視図である。
【００２８】
記録用紙５に記録される画像データは、記録用紙５全面に余白なく記録を行うため、記録用紙５よりも大きい領域に対応させ、また後述するように、画像を分割して記録するため、画像データはあらかじめ分割処理を行う。
【００２９】
図５Ａにおいて、記録用紙５が、上流から矢印２１の方向に搬送されてきて、先端５ａが開口１５ｅの折曲片１５ｆの近傍に至ったとき停止される。このとき記録用紙５の右端は開口１５ｅ内に存在する。ここで記録ヘッド２をＸ方向に走査させて記録を行う。記録用紙５の停止制御は、先端５ａを用紙検出センサー（不図示）により検知することにより実行し、あるいは、搬送ローラ１０とピンチローラ１１で記録用紙５を挟持してからの、搬送ローラ１０の回転数を制御すること等で実現し得る。
【００３０】
この時点では、ノズル２０は、記録用紙５の開口１５ｅ内の部分、および先端５ａより下流側の範囲に対応したＹ方向の領域２０ａ（長さＹ２０ａ）のみにおいて、インクを吐出する。Ｘ方向については、記録用紙５の右端５ｂよりも右側からインク吐出を開始し、かつ紙押さえ部１５ｂの開放されていない部分、すなわち開口１５ｅよりも幅方向内側の部分１５ｈ、およびその近傍に対しては、インクを吐出しないように、記録ヘッド２を制御する。インクを吐出しない部分はいわゆる「空白領域」となる。このときインクが吐出される領域をハッチング２２で示す。「空白領域」は、インク吐出範囲において、紙押さえ部１５ｂがインク通過を遮っている部分において生じる。
【００３１】
図５Ｂにおいて、記録用紙５は図５Ａの状態よりもＹ２０ａに相当する距離だけ下流に送られ、図５Ａと同様の領域にインクを吐出する。このときインクが吐出される領域をハッチング２３で示す。
【００３２】
図５Ｃにおいて、記録用紙５は図５Ｂの状態よりもＹ２０ａに相当する距離だけ下流に送られる。ノズル２０は、図５Ａと同様の領域にインクを吐出するとともに、「空白領域」の部分にインクを吐出する。「空白領域」の部分は、図５Ａの状態から（２×Ｙ２０ａ）だけＹ方向に送られている。「空白領域」の部分、すなわち、開口１５ｅよりも幅方向内側の、開放されていない部分１５ｈに相当する記録用紙５の部分である。図５Ａと同様の領域はノズル２０の上流部分２０ａでインク吐出を行い、「空白領域」の部分に対しては、ノズル２０の下流部分２０ｂにおいてインク吐出を行う。このとき上流部分２０ａによって画像が記録される領域をハッチング２４、下流部分２０ｂにおいて画像が記録される領域をハッチング２５で示す。
【００３３】
図５Ａ〜図５Ｃの処理により、記録用紙５の先端５ａ、右端５ｂからはみ出すように記録を行い、かつ図５Ａで生じた空白領域に対して、図５Ｃの段階で記録を行うので、図５Ａ〜図５Ｃの処理を繰り返すことにより、記録用紙５全面に余白なく画像を記録し得る。なお後端における記録については、別途後述の処理を用いることにより、より良好な記録を行い得る。
【００３４】
図５Ａ、図５Ｂのハッチングチング２２、２３の右端部は、画像記録後に、再度紙押さえ１５の下に潜り込むために、記録用紙５の表面が、紙押さえ１５の裏面に摺接する。このときインクが乾燥していないと、画像を乱すことになるが、端部の微小領域のみであり、目立たないので、実用上問題はない。
【００３５】
図６において、記録用紙５の下面を支持するプラテンリブ１６には、Ｙ方向の間欠部１６ａが形成され、ノズル領域２０ａ、２０ｂが記録用紙５に対する画像記録を行う際、先端５ａからはみ出すインクの領域５ａａ、５ｂｂが、間欠部１６ａ内に位置する。すなわち、はみ出し部分のインクはプラテンリブ１６に吐出されず、直接インク吸収体１７に吐出される。
【００３６】
これによってプラテンリブ１６上にはインク滴が付着せず、プラテンリブ１６に接触摺動する記録用紙５がインクで汚れる恐れがない。
【００３７】
図７Ａ、図８Ａにおいて、記録用紙５の後端５ｃがノズル２０の上流端の領域２０ｃで画像記録すべき位置に到達したとき、開口１５ｅ内においてのみ、インク吐出を行う。このときインクが吐出される領域をハッチング２７で示す。
【００３８】
後端位置は、用紙検出センサー（不図示）によって後端位置を検知し、あるいは、定型紙については搬送量を管理する等の処理により検出可能である。
【００３９】
記録用紙５の長さはＹ方向長さＹ２０ａの整数倍とは限らないので、領域２０ａは領域２０ｃとは必ずしも一致しない。
【００４０】
領域２０ｃは記録用紙５の後端５ｃからはみ出すようにインクを吐出し、このとき開口１５ｅ以外の部分で全幅に渡るインク吐出を行うと、プラテンリブ１６にインクが付着する。これはその後の画像記録に際して記録用紙を汚す結果を招く。
【００４１】
図７Ｂ、図８Ｂにおいて、図７Ａ、図８Ａの状態から領域２０ｃのＹ方向長さＹ２０ｃだけ記録用紙５を送り、ノズル２０の、領域２０ｃよりも下流側の領域２０ｄにより、紙押さえ１５よりも幅方向内側の領域にインクを吐出する。このときインクが吐出される領域をハッチング２８で示す。このとき記録用紙５の後端５ｃは、プラテンリブ１６の間欠部１６ａの位置の来るので、はみ出し部分のインクでプラテンリブ１６を汚すことがない。
【００４２】
なおプラテンリブ１６の間欠部１６ａが他の位置に存在するときには、その位置にはみ出し部分を一致させて、同様の画像記録を行う。例えば、図７Ａ、図８Ａの記録用紙５の状態で、後端５ｃの位置にプラテンリブ１６の間欠部１６ａを設けておけば、図７Ａ、図８Ａの状態でハッチング部２８にインクを吐出できる。
【００４３】
図７Ｃ、図８Ｃにおいて、図７Ｂ、図８Ｂの状態から領域２０ｃのＹ方向長さＹ２０ｃだけ記録用紙５を送り、ノズル領域２０ｂによって、いわゆる空白領域に対する画像記録を行う。このときインクが吐出される領域をハッチング２９で示す。
【００４４】
図５Ａ〜図５Ｃ、図６Ａ〜図６Ｃ、図７Ａ〜図７Ｃ、図８Ａ〜図８Ｃの処理を実行することにより、記録用紙の全域に画像が完成し、かつ余白無しに形成される。
【００４５】
ここで、記録用紙の左側の辺についての記述を今回の説明では省略しているが、紙押さえを対称形に配し、前記と同様の動作手順を実行することで左端部についても同じ結果が得られるようになる。
【００４６】
また記録用紙の幅の変化に対応するためには、例えば右側の紙押さえを基準側として固定し、左側の紙押さえを位置可変する。さらに両側に紙押さえを配することができない装置においては、右側基準側のみに紙押さえを設けてもよい。
【００４７】
［第２の実施形態］
次に本発明に係るインクジェット記録装置の第２の実施形態を図面に基づいて説明する。
【００４８】
図９は、第２の実施形態における紙押さえの周辺部を示す拡大平面図である。なお、図中第１の実施形態と同一もしくは相当部分には同一符号を付し、説明を省略する。
【００４９】
図９において、紙押さえ３０は、第１の実施形態と同様の導入部１５ａおよび送出部１５ｃを有し、紙押さえ部１５ｂの形状は長方形枠状ではなく、下流方向に斜めに開放された凹形状３０ａを有し、幅方向内側端には下流方向に突出するガイド片３０ｂが設けられている。ガイド片３０ｂは送出部１５ｃに向かって記録用紙５を案内する。紙押さえ部１５ｂの形状をこのように変形しても第１の実施形態と同様の効果が得られる。
【００５０】
［第３の実施形態］
次に本発明に係るインクジェット記録装置の第３の実施形態を図面に基づいて説明する。
【００５１】
図１０は、第３の実施形態における紙押さえの周辺部を示す拡大平面図である。なお、図中第１、第２の実施形態と同一もしくは相当部分には同一符号を付し、説明を省略する。
【００５２】
図１０において、紙押さえ４０は、第２の実施形態と同様の導入部１５ａを有するが、紙押さえ部１５ｂの形状は長方形枠状ではなく、幅方向内側に開放された凹形状４０ａであり、送出部１５ｃは、切欠１９に相当する部分を省略し、第１、第２の実施形態よりも幅広である。凹形状４０ａを幅方向内側に向かって開放することにより、紙押さえ部１５ｂおける非開放の部分は消失し、記録用紙５の全幅に１度に画像を記録し得る。すなわち非開放部分を後のステップで画像記録する必要はない。紙押さえ部１５ｂの形状をこのように変形しても第１、第２の実施形態と同様の効果が得られる。
【００５３】
［第４の実施形態］
次に本発明に係るインクジェット記録装置の第４の実施形態を図面に基づいて説明する。
【００５４】
図１１は、第４の実施形態における紙押さえの周辺部を示す拡大平面図である。なお、図中第１の実施形態と同一もしくは相当部分には同一符号を付し、説明を省略する。
【００５５】
第１乃至第３の実施形態では、ノズル２０における各色ノズルの長さを同一として説明したが、ノズル列の長さは異なるものでもよい。
【００５６】
図１１において、シアン（Ｃ）・マゼンダ（Ｍ）・イエロー（Ｙ）のノズルを同一長さとし。ブラック（Ｂ）のノズル３１のみを長く設定している。ノズル３１は下流端が他のノズルと同位置に設定され、上流端が他のノズルよりも上流に突出している。この場合、短い方のシアン（Ｃ）・マゼンダ（Ｍ）・イエロー（Ｙ）のノズル長さを基準にして、第１の実施形態と同様に、紙押さえ１５の寸法を設定する。
【００５７】
余白無し印字を行う際には、第１の実施形態同様、領域２０ａ、２０ｂのノズルを用いて画像を記録する。一方、余白無し印字以外のモードにおいては、必要に応じてブラック（Ｂ）ノズル３１全体を使用して高速印字を行うようにして、使い分ける。
【００５８】
【発明の効果】
本発明によれば、記録用紙全面への記録を容易に実現し得る。
【図面の簡単な説明】
【図１】本発明に係るインクジェット記録装置の第１の実施形態を示すの全体斜視図である。
【図２】従来例のインクジェット記録装置の全体斜視図である。
【図３】図１の紙押さえの周辺部を示す拡大斜視図である。
【図４】図１の紙押さえの周辺部を示す拡大平面図である。
【図５Ａ】第１の実施形態の記録動作を説明するために、図１の紙押さえの周辺部を示す拡大平面図である。
【図５Ｂ】図５Ａに続く記録動作を説明するために、図１の紙押さえの周辺部を示す拡大平面図である。
【図５Ｃ】図５Ｂに続く記録動作を説明するために、図１の紙押さえの周辺部を示す拡大平面図である。
【図６】図１の記録ヘッドのノズルとプラテンリブを示す透視図である。
【図７Ａ】図５Ｂに続く記録動作を説明するために、図１の紙押さえの周辺部を示す拡大平面図である。
【図７Ｂ】図７Ａに続く記録動作を説明するために、図１の紙押さえの周辺部を示す拡大平面図である。
【図７Ｃ】図７Ｂに続く記録動作を説明するために、図１の紙押さえの周辺部を示す拡大平面図である。
【図８Ａ】図７Ａの記録動作時における、記録ヘッドのノズルとプラテンリブを示す透視図である。
【図８Ｂ】図７Ｂの記録動作時における、記録ヘッドのノズルとプラテンリブを示す透視図である。
【図８Ｃ】図７Ｃの記録動作時における、記録ヘッドのノズルとプラテンリブを示す透視図である。
【図９】第２の実施形態における紙押さえの周辺部を示す拡大平面図である。
【図１０】第３の実施形態における紙押さえの周辺部を示す拡大平面図である。
【図１１】第４の実施形態における記録ヘッドのノズルとプラテンリブを示す透視図である。
【符号の説明】
２　　　　　　　　記録ヘッド
５　　　　　　　　．記録用紙
５ａ　　　　　　　先端
５ｃ　　　　　　　後端
１５、３０、４０　　紙押さえ
１５ｅ　　　　　　開口
２０　　　　　　　ノズル
３０ａ、４０ａ　　開放部
１６　　　　　　　プラテンリブ
１６ａ　　　　　　切欠
１９　　　　　　　切欠
【図１】
2004074610.tif 000003
【図２】
2004074610.tif 000004
【図３】
2004074610.tif 000005
【図４】
2004074610.tif 000006
【図５Ａ】
2004074610.tif 000007
【図５Ｂ】
2004074610.tif 000008
【図５Ｃ】
2004074610.tif 000009
【図６】
2004074610.tif 000010
【図７Ａ】
2004074610.tif 000011
【図７Ｂ】
2004074610.tif 000012
【図７Ｃ】
2004074610.tif 000013
【図８Ａ】
2004074610.tif 000014
【図８Ｂ】
2004074610.tif 000015
【図８Ｃ】
2004074610.tif 000016
【図９】
2004074610.tif 000017
【図１０】
2004074610.tif 000018
【図１１】
2004074610.tif 000019